(57)【要約】【課題】  検査のためにおむつに含有される反応試薬の肌への悪影響といった弊害を生じることなく、簡易且つ迅速に介護者の健康状態が把握できる健康インジケーター付きおむつを提供する。【解決手段】  おむつの吸収材１ａに含有される反応試薬１３の大半をバックシート１２側に偏在させたうえで、光線透過率の高いバックシート１２を用いることにより、反応試薬１３による肌への悪影響といった弊害を生じることなく、簡易且つ迅速に介護者の健康状態を把握することができる。【選択図】        図１
2005152264.tif 000002
【特許請求の範囲】
【請求項１】
対象者の体液を吸収して保持するためのおむつであって、
装着時に前記対象者の身体に面する液透過性のトップシートと、
装着時に衣服に面する液不透過性のバックシートと、
これらトップシートとバックシートとが一体化されて袋状とされたものの中に配置された吸収材と、を備え、
前記吸収材は、前記対象者の体液中の成分に応じて呈色反応をする反応試薬と、前記対象者の体液を高吸収する高分子吸収材粒子と、を含む第１吸収層を有しており、
前記高分子吸収材粒子の表面の少なくとも一部は、前記反応試薬で被覆されていることを特徴とするおむつ。
【請求項２】
前記第１吸収層では、前記反応試薬の８割以上が前記バックシート側に偏在することを特徴とする請求項１記載のおむつ。
【請求項３】
前記吸収材は、更に、前記対象者の体液を高吸収する高分子吸収材粒子を含む第２吸収層を有し、
前記第１吸収層は、前記バックシート側に配置され、
前記第２吸収層は、前記トップシート側に配置されることを特徴とする請求項１または２記載のおむつ。
【請求項４】
前記第１吸収層の厚みは、前記第２吸収層の厚みとほぼ同じ若しくは前記第２吸収層の厚みより薄いことを特徴とする請求項３記載のおむつ。
【請求項５】
前記第１吸収層の面積は、前記第２吸収層の面積よりも小さく、
前記第１吸収層と前記第２吸収層との間には、前記第１吸収層の面積よりも大きく且つ前記第２吸収層の面積よりも小さい面積を有する疎水性のウェットバック防止シートが配置されていることを特徴とする請求項３または４記載のおむつ。
【請求項６】
前記反応試薬は、癌抗原、ｐＨ、尿タンパク、尿比重、尿潜血、または糖に対して呈色反応をすることを特徴とする請求項１から５記載のおむつ。
【請求項７】
前記反応試薬は複数種類併用され、これら複数種類の反応試薬同士は、カバーリング材によって仕切られて配置されることを特徴とする請求項１から６記載のおむつ。
【請求項８】
前記第１吸収層の目付は、１０ｇ／ｍ２以上３００ｇ／ｍ２以下であることを特徴とする請求項１から７記載のおむつ。
【請求項９】
前記バックシートの光線透過率は、前記対象者の体液を吸収した状態で４０％以上であることを特徴とする請求項２から８記載のおむつ。
【請求項１０】
前記バックシートの前記吸収材に面していない側には、前記反応試薬の対象分析項目及び呈色の見本が表示されていることを特徴とする請求項９記載のおむつ。
【発明の詳細な説明】
【技術分野】
【０００１】
本発明は、対象者の体液を吸収するおむつに関し、特に、簡易且つ迅速に健康状態を把握できる健康インジケーター付きおむつに関する。
【背景技術】
【０００２】
老人介護施設等の現場においては、被介護者の健康状態を把握するために尿検査が定期的に行われている。従来、この検査に際しては、被介護者が排尿した尿を容器等で採取した後、尿成分分析装置や尿成分試験紙等を利用しなければならず、被介護者及び介護者の双方において、非常に煩わしい作業を伴うものであった。
【０００３】
この煩わしさの解消に取り組んだものとして、特許文献１に記載された発明が挙げられる。特許文献１に記載されている発明は、おむつ内面に尿中の成分に応じて変色する反応試薬を含有することを特徴とする尿検査おむつに関するものである。この発明によれば、被介護者が排尿した尿を容器等で採取する必要が無く、おむつ交換時等に反応試薬の色の変化を見ることによって尿中の成分やその濃度の検査を行うことができる。
【特許文献１】特開２００１−２８９８４５号公報
【発明の開示】
【発明が解決しようとする課題】
【０００４】
しかしながら、この特許文献１に記載された発明のように、従来のおむつに反応試薬を含有させる場合には、反応試薬の変色具合を確認する必要性から、反応試薬をおむつの内表面に配置せざるを得なかった。そのため、反応試薬による肌への悪影響が懸念されるうえ、検査結果を確認するに当たってはおむつを脱ぐ必要があった。また、着用者が姿勢を大きく変化させた場合などには、反応試薬の色が滲んで視認が困難であるような事態に陥ることもあった。さらには、吸収材の色は通常白色であるため、例えば黄色に変色する場合は見えにくく、色によっては識別が困難である場合もある等、種々の問題を抱えており、簡易且つ迅速な検査ができているとは言えない。従って、反応試薬による肌への影響が無いうえに簡易且つ迅速に介護者の健康状態が把握できるおむつを提供することが当業者に課せられた課題となっている。
【０００５】
本発明は以上のような課題に鑑みてなされたものであり、その目的は、反応試薬による肌への悪影響といった弊害を生じることなく、簡易且つ迅速に介護者の健康状態が把握できる健康インジケーター付きおむつを提供することにある。
【課題を解決するための手段】
【０００６】
以上の目的を達成するために、本発明者らは、反応試薬による肌への悪影響の防止と検査結果の判定の容易化の実現について鋭意研究を重ねた。その結果、おむつの吸収材に含有される反応試薬の大半をバックシート側に偏在させたうえで、光線透過率の高いバックシートを用いることにより、反応試薬による肌への悪影響の防止と検査結果の判定の容易化が可能であることを見出し、本発明を完成するに至った。具体的には本発明は以下のようなものを提供する。
【０００７】
（１）  対象者の体液を吸収して保持するためのおむつであって、装着時に前記対象者の身体に面する液透過性のトップシートと、装着時に衣服に面する液不透過性のバックシートと、これらトップシートとバックシートとが一体化されて袋状とされたものの中に配置された吸収材と、を備え、前記吸収材は、前記対象者の体液中の成分に応じて呈色反応をする反応試薬と、前記対象者の体液を高吸収する高分子吸収材粒子と、を含む第１吸収層を有しており、前記高分子吸収材粒子の表面の少なくとも一部は、前記反応試薬で被覆されていることを特徴とするおむつ。
【０００８】
（１）に係るおむつに備えられている吸収材は、対象者の体液中の成分に応じて呈色反応をする反応試薬と、対象者の体液を高吸収する高分子吸収材粒子とが含有された第１吸収層を有している。この吸収材は、トップシートとバックシートの間に配置されているため、肌に反応試薬が直接触れることは無い。また、この吸収材は高吸収性であり対象者が排尿した尿などを十分に吸収して保持できるため、反応試薬が尿とともにウェットバックして肌に付着してしまうといったトラブルを回避できるとともに、時間の経過により尿が乾燥して反応試薬の色が退色し、検査の判定が困難になるといった不具合を回避できる。また、引用文献１では反応試薬の色が滲んで視認が困難である場合もあったが、（１）に係るおむつによれば、例えばトップシートの色を適宜変化させることにより、呈色をより鮮明にして容易に識別可能な状態にすることもできる。従って、（１）に係るおむつによれば、反応試薬による肌への悪影響といった弊害を生じることなく、簡易且つ迅速に対象者の健康状態を把握することが可能である。
【０００９】
なお、（１）に係るおむつに備えられている吸収材は、高分子吸収材粒子としてアクリル酸系ポリマーが主体的に用いられるものであり、その厚みは１ｍｍ以上２０ｍｍ以下であることが好ましい。吸収材の厚みが１ｍｍ以下である場合には対象者が排尿した尿を十分に吸収、保持することが困難であり、吸収材の厚みが２０ｍｍ以上である場合には着用感に影響を及ぼす可能性がある他、コストが高くなるため好ましくない。また、第１吸収層中に含有されている高分子吸収材粒子の表面の少なくとも一部は、反応試薬で被覆されたものである。ここで、「高分子吸収材粒子の表面の少なくとも一部は、反応試薬で被覆されている」とは、高分子吸収材粒子の内部に反応試薬が含浸したものを排除するものではなく、高分子吸収材粒子の内部に反応試薬が含浸したものであるか否かに関わらず、表面の少なくとも一部が反応試薬で被覆されているものを意味する。
【００１０】
（２）  前記第１吸収層では、前記反応試薬の８割以上が前記バックシート側に偏在することを特徴とする（１）記載のおむつ。
【００１１】
（２）に係るおむつでは、第１吸収層に含有されている反応試薬の８割以上は、バックシート側に偏在している。反応試薬の８割以上をバックシート側に偏在させる方法としては、反応試薬を含浸させた高分子吸収材粒子と、反応試薬を含浸させていない高分子吸収材粒子とを予め準備した後、第１吸収層を積層する際に、これらの添加、混合のタイミングを調整する方法が挙げられる。このような方法を用いて反応試薬を身体に面する側からより遠い位置に配置させることによって、反応試薬による肌への悪影響をより効果的に防止することができる。
【００１２】
（３）  前記吸収材は、更に、前記対象者の体液を高吸収する高分子吸収材粒子を含む第２吸収層を有し、前記第１吸収層は、前記バックシート側に配置され、前記第２吸収層は、前記トップシート側に配置されることを特徴とする（１）または（２）記載のおむつ。
【００１３】
（３）に係るおむつに備えられている吸収材は２層構造であり、バックシート側には体液中の成分に応じて呈色反応をする反応試薬と、対象者の体液を高吸収する高分子吸収材粒子とが含有された第１吸収層が配置され、トップシート側には対象者の体液を高吸収する高分子吸収材粒子を含む第２吸収層が配置されている。このように吸収材を２層構造にして反応試薬を身体側から遠い位置に配置させることにより、反応試薬による肌への悪影響をさらに効果的に防止することができる。
【００１４】
（４）  前記第１吸収層の厚みは、前記第２吸収層の厚みとほぼ同じ若しくは前記第２吸収層の厚みより薄いことを特徴とする（３）記載のおむつ。
【００１５】
（４）に係るおむつでは、第１吸収層の厚みは第２吸収層の厚みとほぼ同じ若しくはそれより薄いものとなっている。このように第１吸収層及び第２吸収層の厚みを設定することによって、反応試薬による肌への悪影響を特に効果的に防止することができる。第１吸収層の厚みが第２吸収層の厚みよりも厚い場合には、反応試薬が身体側に近い位置に配置されることになるため好ましくない。
【００１６】
（５）  前記第１吸収層の面積は、前記第２吸収層の面積よりも小さく、前記第１吸収層と前記第２吸収層との間には、前記第１吸収層の面積よりも大きく且つ前記第２吸収層の面積よりも小さい面積を有する疎水性のウェットバック防止シートが配置されていることを特徴とする（３）または（４）記載のおむつ。
【００１７】
（５）に係るおむつでは、第１吸収層の面積は前記第２吸収層の面積よりも小さいものとなっている。また、第１吸収層と第２吸収層との間には、第１吸収層の面積よりも大きく且つ第２吸収層の面積よりも小さい疎水性のウェットバック防止シートが介在している。即ち、第１吸収層の面積よりも大きく第２吸収層の面積よりも小さいウェットバック防止シートが第１吸収層を覆うように配置されており、ウェットバック防止シートの端縁から尿が第１吸収層にまわり込む。そして、ウェットバック防止シートは疎水性部材であるうえ第１吸収層の面積よりも大きいため、一旦第１吸収層に入り込んだ尿はウェットバックすることはない。従って、（５）に係るおむつによれば、尿とともに反応試薬がウェットバックすることが無く、肌への反応試薬の悪影響を十分に防止することができる。なお、ウェットバック防止シートとしては、疎水性不織布、ポリエチレンシート、またはポリエチレンメッシュ等の疎水性部材が好ましく用いられる。
【００１８】
（６）  前記反応試薬は、癌抗原、ｐＨ、尿タンパク、尿比重、尿潜血、または糖に対して呈色反応をすることを特徴とする（１）から（５）記載のおむつ。
【００１９】
（６）に係るおむつの第１吸収層に含有される反応試薬としては、癌抗原、ｐＨ、尿タンパク、尿比重、尿潜血、または糖に対して呈色反応をする反応試薬が好ましく用いられる。これらの反応試薬を第１吸収層に含有させた（６）に係るおむつによれば、泌尿器系癌、尿結石、腎疾患、腎不全、糸球体腎炎、糖尿病の疾病の検査が簡易且つ迅速に可能である。
【００２０】
泌尿器系癌の検出としては抗原抗体反応を利用した免疫法が好ましく、これは標識抗体と結合した尿中の抗原が発色基剤と反応して呈色する仕組みである。尿結石の検出としてはｐＨ指示薬としてブロムチモールブルーを利用した変色法が好ましく、腎疾患の検出としては指示薬としてテトラブロモブルーを利用して尿タンパクを検出する方法が好ましい。また、腎不全と尿比重及び尿中の塩分量には密接な関係があることから、この関係を利用して、腎不全の検査には尿中のナトリウムイオンと結合して変色するカルボン酸基含有ポリマーを用いることができる。糸球体腎炎の検査には、潜血尿中のヘモグロビンの酸化還元反応を利用した検出方法が好ましく、糖尿病の検査には、尿中のブドウ糖を酵素で分解、発色させて検出する方法が好適に用いられる。
【００２１】
（７）  前記反応試薬は複数種類併用され、これら複数種類の反応試薬同士は、カバーリング材によって仕切られて配置されることを特徴とする（１）から（６）記載のおむつ。
【００２２】
（７）に係るおむつでは、複数種類の反応試薬が第１吸収層に含有されており、これら複数種類の反応試薬同士は、カバーリング材によって仕切られて配置されている。複数種類の反応試薬を併用する場合には、これら複数種類の反応試薬が混在した状態では判定が不可能であるためである。このように複数種類の反応試薬を含有させた（７）に係るおむつによれば、同時に複数の疾病の検査が可能であり、対象者の健康状態をより簡易且つ迅速に把握することができる。なお、カバーリング材としては、ティッシュ、不織布、またはメッシュシート等が好ましく用いられる。カバーリング材の接合強度は５０ｇｆ／２５ｍｍ以上が好ましく、仕切り幅は３ｍｍ以上であることが好ましい。
【００２３】
（８）  前記第１吸収層の目付は、１０ｇ／ｍ２以上３００ｇ／ｍ２以下であることを特徴とする（１）から（７）記載のおむつ。
【００２４】
（８）に係るおむつの第１吸収層の目付は、１０ｇ／ｍ２以上３００ｇ／ｍ２以下である。第１吸収層の目付がこの範囲内である（８）に係るおむつによれば、反応試薬の色の変化を十分に視認することができる。第１吸収層の目付が１０ｇ／ｍ２以下の場合には、反応試薬が密集して存在していないため呈色反応の確認が困難であり、３００ｇ／ｍ２以上である場合には高コストとなるため好ましくない。
【００２５】
（９）  前記バックシートの光線透過率は、前記対象者の体液を吸収した状態で４０％以上であることを特徴とする（２）から（８）記載のおむつ。
【００２６】
（９）に係るおむつのバックシートの光線透過率は、対象者の体液を吸収した状態で４０％以上である。反応試薬を身体に面する側から遠いバックシート側に偏在させた状態で、対象者の体液を吸収した状態におけるバックシートの光線透過率を４０％以上にすることによって、おむつを着用したままバックシート側から検査結果の判定を行うことができ、簡易且つ迅速な検査が可能である。引用文献１に記載された発明では、反応試薬の色が滲んで視認が困難である場合があったが、（９）に係るおむつによれば、バックシート側から反応試薬の色をより鮮明に確認することができる。なお、バックシートの光線透過率が対象者の体液を吸収した状態で４０％以下である場合には、反応試薬による呈色をバックシート側から識別するのが容易でなく、おむつを着用した状態で検査結果を判定することが困難であるため好ましくない。バックシートとしては、疎水性のポリエチレンシートの他、不織布にポリエチレンラミネートを貼り合わせた複合シートや、ポリエチレンシートに不織布を貼り合わせた複合シートが好適に用いられる。また、吸収材をカバーリング材上で形成させる場合等は、バックシートのみならずカバーリング材の光線透過率も対象者の体液を吸収した状態で４０％以上であることが好ましい。なお、光線透過率の測定は、ＪＩＳ  Ｋ−７１０５に準拠した方法で行われる。
【００２７】
（１０）  前記バックシートの前記吸収材に面していない側には、前記反応試薬の対象分析項目及び呈色の見本が表示されていることを特徴とする（９）記載のおむつ。
【００２８】
（１０）に係るおむつでは、バックシートの吸収材に面していない側に反応試薬の対象分析項目及び呈色の見本が表示されている。反応試薬を身体に面する側から遠いバックシート側に偏在させ、且つ、バックシートの光線透過率を対象者の体液を吸収した状態で４０％以上にした場合において、バックシートの吸収材に面していない側に反応試薬の対象分析項目及び呈色の見本を表示することによって、おむつを着用した状態で検査結果が一目瞭然に確認でき、より簡易且つ迅速に検査を行うことが可能である。なお、この表示は、直接、バックシートに印刷されたもの若しくは印刷された基材をシートに貼り付けたものであってよい。
【発明の効果】
【００２９】
本発明に係る健康インジケーター付きおむつによれば、反応試薬による肌への悪影響といった弊害を生じることなく、簡易かつ迅速に介護者の健康状態が把握できる。
【発明を実施するための最良の形態】
【００３０】
以下、本発明の実施形態について、図面を参照しながら説明する。なお、第２実施形態及び第３実施形態の説明において、第１実施形態と共通する構成及び効果の説明については省略する。
【００３１】
＜第１実施形態＞
［健康インジケーター付きおむつの全体構成］
図１は、本発明の第１実施形態に係る健康インジケーター付きおむつを幅方向に切断したときの断面図である。第１実施形態に係る健康インジケーター付きおむつでは、トップシート１１とバックシート１２との間に吸収材１ａが配置されている。吸収材１ａは、第１吸収層１６とカバーリング材１７とから成り、第１吸収層１６はカバーリング材１７によって覆われている。また、第１吸収層１６には反応試薬１３、高分子吸収材粒子１５、及び、パルプ１４が含有されており、尿漏れ防止のために立体ギャザー１８が設けられている。
【００３２】
［吸収材１ａ］
上述した通り、吸収材１ａは第１吸収層１６とカバーリング材１７とから成り、第１吸収層１６には反応試薬１３、高分子吸収材粒子１５、及び、パルプ１４が含有されている。反応試薬１３としては、癌抗原、ｐＨ、尿タンパク、尿比重、尿潜血、または糖に対して呈色反応をする反応試薬が使用され、高分子吸収材粒子１５としてはアクリル酸系ポリマーが用いられる。この吸収材１ａは、粉砕したパルプ１４、反応試薬１３を含浸させた高分子吸収材粒子１５、及び、反応試薬１３を含浸させていない高分子吸収材粒子１５を乾式混合してカバーリング材１７上に積層した後、カバーリング材１７で巻き込むことにより形成される。なお、反応試薬１３を含浸させた高分子吸収材粒子１５は、図６に示すように、その表面の少なくとも一部は、反応試薬１３によって被覆されたものである。
【００３３】
また、第１吸収層１６中に含有されている反応試薬１３の８割以上はバックシート１２側に偏在しており、身体側からより遠い位置に反応試薬１３が配置されている。このように反応試薬１３をバックシート１２側に偏在させるため、第１吸収層１６を形成する際には反応試薬１３を含浸させた高分子吸収材粒子１５と、反応試薬１３を含浸させていない高分子吸収材粒子１５とのカバーリング材１７上への投入のタイミングが調節される。なお、第１吸収層１６の目付は、２０ｇ／ｍ２であり、厚みｔ１は１０ｍｍである。
【００３４】
［トップシート１１］
トップシート１１は、サイドトップシートとセンタートップシートから構成される。サイドトップシートとしては疎水性部材が使用され、長手方向側端に弾性部材を取り付けた後、サイドトップシートで巻き込むことにより立体ギャザー１８が形成される。また、センタートップシートとしては親水性部材が使用され、サイドトップシートとホットメルトまたは熱融着で貼り合わせることによりトップシート１１が形成される。なお、呈色反応による色の変化が識別しにくい場合を想定して、トップシート１１の色は白色に限られず、色の変化を顕著化できるような色のトップシート１１が使用できる。
【００３５】
［バックシート１２］
バックシート１２としては、疎水性のポリエチレンシートの他、不織布にポリエチレンラミネートを貼り合わせた複合シートや、ポリエチレンシートに不織布を貼り合わせた複合シートが用いられる。これらは実質的に液不透過性である。また、バックシート１２の光線透過率は、対象者の体液を吸収した状態で４０％以上であり、透過率の高いものが用いられる。
【００３６】
［カバーリング材１７］
カバーリング材１７としては、ティッシュが利用され、このカバーリング材１７の光線透過率は対象者の体液を吸収した状態で４０％以上であり、透過率の高いものが用いられる。
【００３７】
［第１実施形態に係る効果］
この健康インジケーター付きおむつでは、体液中の成分に応じて呈色反応をする反応試薬１３によって、表面の少なくとも一部が被覆された高分子吸収材粒子１５を有する第１吸収層１６が備えられているため、対象者の健康状態を把握することができる。特に、第１吸収層１６がトップシート１１とバックシート１２の間に配置されており、肌に反応試薬１３が直接触れることは無いうえ、この第１吸収層１６は高吸収性で対象者が排尿した尿などを十分に吸収して保持できるため、尿や反応試薬１３がウェットバックして肌に付着してしまうといったトラブルを回避できるとともに、時間の経過により尿が乾燥して反応試薬１３の色が退色し、検査の判定が困難になるといった不具合も回避できる。
【００３８】
また、第１吸収層１６に含有されている反応試薬１３の８割以上はバックシート１２側に偏在し、反応試薬１３は身体側から遠い位置に配置しているため、反応試薬１３による対象者の肌への悪影響をより効果的に防止することができる。さらには、反応試薬１３がバックシート１２側に偏在しているうえバックシート１２及びカバーリング材１７の光線透過率が高いため、対象者がおむつを着用した状態でバックシート１２側から検査結果の判定ができ、簡易且つ迅速な検査が可能である。
【００３９】
＜第２実施形態＞
［健康インジケーター付きおむつの全体構成］
図２は、本発明の第２実施形態に係る健康インジケーター付きおむつを幅方向に切断したときの断面図である。このおむつは、第１実施形態に係る健康インジケーター付きおむつの吸収材１ａが１ｂに変更されたものである。吸収材１ｂは、第１吸収材２１、及び、第２吸収材２２の２層を有している。第１吸収材２１は、反応試薬２３ａと高分子吸収材粒子２３ｂとを含有する第１吸収層２３がカバーリング材２７で覆われたものであり、第２吸収材２２は、パルプ２４ａと高分子吸収材粒子２４ｂとを含有する第２吸収層２４がカバーリング材２８で覆われたものである。
【００４０】
［吸収材１ｂ］
上述した通り、吸収材１ｂは第１吸収材２１、及び、第２吸収材２２の２層を有している点が特徴である。吸収材１ｂの形成に用いられている反応試薬２３ａ、高分子吸収材粒子２３ｂ、パルプ２４ａ、高分子吸収材粒子２４ｂ、及び、カバーリング材２７と２８は、第１実施形態に係る健康インジケーター付きおむつで用いられるものと同様のものが用いられる。また、第１吸収層２３の厚みは、第２吸収層２４の厚みとほぼ同じ若しくはそれより薄いものとなっている。
【００４１】
［第２実施形態に係る効果］
この健康インジケーター付きおむつでは、吸収材１ｂを２層構造にして反応試薬２３ａを身体側から遠い位置に配置させているため、反応試薬２３ａによる対象者の肌への悪影響をより効果的に防止することができる。さらには、バックシート１２及びカバーリング材２７の光線透過率が高いため、対象者がおむつを着用した状態でバックシート１２側から検査結果の判定ができ、簡易且つ迅速な検査が可能である。
【００４２】
＜第３実施形態＞
［健康インジケーター付きおむつの全体構成］
図３は、本発明の第３実施形態に係る健康インジケーター付きおむつを幅方向に切断したときの断面図である。このおむつは、第１実施形態に係る健康インジケーター付きおむつの吸収材１ａが１ｃに変更されたものである。また、吸収材１ｃを構成する部材は、第２実施形態に係る健康インジケーター付きおむつの吸収材１ｂを構成する部材と同様である。第２実施形態に係る健康インジケーター付きおむつと異なる点は、第１吸収層３３とカバーリング材３７から成る第１吸収材３１の面積が、第２吸収層２４とカバーリング材２８から成る第２吸収材２２の面積よりも小さく、第１吸収材３１と第２吸収材２２との間には、第１吸収材３１よりも大きく且つ第２吸収材２２よりも小さい疎水性のウェットバック防止シート３８が配置されている点である。
【００４３】
［吸収材１ｃ及びウェットバック防止シート３８］
上述の通り、この健康インジケーター付きおむつの吸収材１ｃでは、第１吸収材３１の面積は第２吸収材２２の面積よりも小さいものとなっており、第１吸収材３１と第２吸収材２２との間には、第１吸収材３１よりも大きく且つ第２吸収材２２よりも小さい疎水性のウェットバック防止シート３８が配置されている。なお、ウェットバック防止シート３８としては、疎水性不織布が用いられる。
【００４４】
［第３実施形態に係る効果］
この健康インジケーター付きおむつでは、第１吸収材３１よりも大きく第２吸収材２２より小さいウェットバック防止シート３８が第１吸収材３１を覆うように配置されており、ウェットバック防止シート３８の端縁から尿が第１吸収材３１に入り込む。そして、ウェットバック防止シート３８は疎水性部材であるうえ第１吸収材３１の面積よりも大きいため、一旦第１吸収材３１に入り込んだ尿はウェットバックすることはない。従って、肌への反応試薬３３ａの付着を効果的に防止することができるとともに、対象者がおむつを着用した状態でバックシート１２側から検査結果の判定が容易にでき、より簡易且つ迅速な検査が可能である。
【００４５】
＜変形例１＞
本発明に係る健康インジケーター付きおむつの変形例１は、上記の各実施形態において、反応試薬を複数種類併用した形態である。図４は、この変形例１に係る健康インジケーター付きおむつの吸収材１ｄを、身体に面するトップシート１１側から見た図である。この変形例１では、反応試薬４１ａ、４２ａ、４３ａ、４４ａ、４５ａは、それぞれ癌抗原、ｐＨ、尿タンパク、尿潜血、糖に対して呈色反応をする反応試薬である。
【００４６】
これら反応試薬４１ａ、４２ａ、４３ａ、４４ａ、４５ａは、カバーリング材４７によって仕切られて配置されている。このように複数種類の反応試薬を含有した吸収材１ｄを形成させるためには、先ず、粉砕したパルプと反応試薬を含有していない高分子吸収材粒子とを乾式混合してカバーシート上に積層した後カバーシートを巻き込んで、反応試薬を含有していない上層吸収材を形成する。そして、それぞれ異なる種類の反応試薬を含有している高分子吸収材粒子をカバーシート上にそれぞれ間隔をあけて配置し、カバーシートで巻き込み、熱融着でポケット構造とした後、上層吸収材をホットメルトで固定することで、吸収材１ｄが形成される。接合強度は５０ｇｆ／２５ｍｍであり、仕切り幅は３ｍｍである。
【００４７】
この変形例１のように、複数種類の反応試薬を併用する場合には、これら複数種類の反応試薬同士をカバーリング材で仕切ることによって同時に複数の検査が可能となり、より簡易且つ迅速な検査を行うことができる。
【００４８】
＜変形例２＞
また、本発明に係る健康インジケーター付きおむつの変形例２として、上記の各実施形態において、バックシート１２の吸収材１ｅに面していない側に、反応試薬の対象分析項目５２及び呈色の見本５４が表示されている形態が挙げられる。図５は、変形例１に係る健康インジケーター付きおむつにおいて、この変形例２を採用した健康インジケーター付きおむつを、身体に面しないバックシート１２側から見た図である。
【００４９】
対象分析項目５２及び呈色の見本５４の表示は、直接、バックシート１２に印刷されたものである。このように、反応試薬の対象分析項目５２及び呈色の見本５４を表示することによって検査結果が一目瞭然で確認でき、簡易且つ迅速に検査を行うことが可能である。
【図面の簡単な説明】
【００５０】
【図１】本発明の第１実施形態に係る健康インジケーター付きおむつを幅方向に切断したときの断面図である。
【図２】本発明の第２実施形態に係る健康インジケーター付きおむつを幅方向に切断したときの断面図である。
【図３】本発明の第３実施形態に係る健康インジケーター付きおむつを幅方向に切断したときの断面図である。
【図４】本発明の変形例に係る健康インジケーター付きおむつの吸収材を、身体に面するトップシート側から見た図である。
【図５】本発明の変形例に係る健康インジケーター付きおむつを、身体に面しないバックシート側から見た図である。
【図６】高分子吸収材粒子１５の部分断面図である。
【符号の説明】
【００５１】
１１  トップシート
１２  バックシート
１ａ、１ｂ、１ｃ、１ｄ、１ｅ  吸収材
１３、２３ａ、３３ａ、４１ａ、４２ａ、４３ａ、４４ａ、４５ａ  反応試薬
１４、２４ａ  パルプ
１５、２３ｂ、２４ｂ、３３ｂ、４１ｂ、４２ｂ、４３ｂ、４４ｂ、４５ｂ  高分子吸収材粒子
１７、２７、２８、３７、４７  カバーリング材
１８  立体ギャザー
２１、３１  第１吸収材
２２  第２吸収材
２３、３３  第１吸収層
２４  第２吸収層
３８  ウェットバック防止シート
５０  変形例２に係る健康インジケーター付きおむつ
５２  対象分析項目の表示
５４  呈色の見本の表示
ｔ１  吸収材の厚み
ｔ２  ｔ１の半分の厚み
【図１】
2005152264.tif 000003
【図２】
2005152264.tif 000004
【図３】
2005152264.tif 000005
【図４】
2005152264.tif 000006
【図５】
2005152264.tif 000007
【図６】
2005152264.tif 000008